(57)【要約】【課題】従来技術の制限及び低い伝達力に関する欠点を克服するために、折り曲げダイに対する改善された運動伝達機を有するパイプ折り曲げ装置を提供することである。【解決手段】折り曲げダイに対して改善された運動伝達装置を有するパイプ折り曲げ装置は、本体（１）及びヘッド（２）を備える。前記本体（１）に収容されるのは、前記装置ヘッド（２）に位置する駆動ギアホイール（５）を支持する出力シャフト（４）を有するモーター（３）である。同じ前記装置ヘッド（２）に位置するのは、パイプ折り曲げダイ（６）に接続している被駆動ギアホイール（８）である。中間ギアホイール（９、１０）の一組が前記駆動ギアホイール（５）及び前記被駆動ギアホイール（８）の両方に係合する。【選択図】図１
2010105047.tif 000002
【特許請求の範囲】
【請求項１】
折り曲げダイに対する改善された運動伝達装置を有するパイプ折り曲げ装置であって、
前記装置は本体（１）及びヘッド（２）と、
前記装置本体（１）に収容され、且つ、前記装置ヘッド（２）に位置する駆動ギアホイール（５）を支持する出力シャフト（４）を有するモーター（３）と、
パイプ折り曲げダイ（６）に接続され、且つ同じ前記装置ヘッド（２）に配置される被駆動ギアホイール（８）と、を備えてなり、
一組の中間ギアホイール（９、１０）が、前記駆動ギアホイール（５）及び前記被駆動ギアホイール（８）の両方に係合することを特徴とするパイプ折り曲げ装置。
【発明の詳細な説明】
【技術分野】
【０００１】
本発明は、折り曲げダイに対して改善された運動伝達装置を有するパイプ折り曲げ装置に関する。
【背景技術】
【０００２】
現存するパイプ折り曲げ装置において、該装置は本体とヘッドを備える。本体に収容されているのはモーターであり、モーターの出力シャフトは装置ヘッドの駆動ギアホイールを支持している。駆動ギアホイールは、パイプ折り曲げダイにしっかりと接続された被駆動ギアホイールと係合する。曲げるべきパイプの直径がより大きくなれば、要求されるモーター出力がより高くなり、かつ伝達ギアホイールは、要求されるトルクに適合するものでなければならないのは、明らかである。要求されるトルクが増大すると、装置の寸法を増大する必要があり、結果として装置のコストも上がる。
【０００３】
Ｓｈｉｏｋａｗａによる特許文献１及び特許文献２は、どちらも、寸法は小さいが高い圧力をもたらすことで特徴付けられる機械プレスに関する。目標を達成するために、その発明者により選ばれた解決策では、ギアホイール間にアイドルピニオンギアの組を配置して、出力を駆動ギアホイールから被駆動ギアホイールに伝達することにより対策がなされている。それによって、それらの特許で言及されているように、「回転により伝達される力は二重化されるので、ギアーホイールの直径を半分に減らすことができる。結果として、フレームにギアを全て配置することにより、装置の大きさを減少させることが可能になり、さらに、各部の磨耗及び騒音をも減少させることができる。」
【０００４】
本願発明によれば、機械プレスを参照して得られる教示を、パイプ折り曲げ装置の大きさを減少させるか、或いは改善された性能を得るといった目的について同じ解決策を採ることで、パイプ折り曲げ機のような別の種類の装置に移転することであると考えられる。
【先行技術文献】
【特許文献】
【０００５】
【特許文献１】米国特許文献第３３０２５０５号明細書
【特許文献２】米国特許文献第５７０９１４４号明細書
【発明の概要】
【発明が解決しようとする課題】
【０００６】
この文脈において、本発明の基本的な技術上の問題は、従来技術における厄介であった低い伝達力に関する上述の欠点を克服するために、折り曲げダイに対して改善された運動伝達装置を有するパイプ折り曲げ装置を提供することである。
【０００７】
特に、本発明の目的は、折り曲げダイに対して改善された運動伝達装置を有するパイプ折り曲げ装置であって、駆動ギアホイールから被駆動ギアホイールに同じ出力を維持しつつ小さなサイズのギアホイールを有するパイプ折り曲げ装置を提供することである。
【課題を解決するための手段】
【０００８】
本目的は、通常、折り曲げダイに対して改善された運動伝達装置を有するパイプ折り曲げ装置により達成される。装置は、本体及びヘッドを備え、モーターが装置本体に収容され、且つ装置ヘッドに位置する駆動ギアホイールを支持する出力シャフト有し、、被駆動ギアホイールがパイプ折り曲げダイに接続され、同じ装置ヘッドに位置し、中間ギアホイールの組が駆動ギアホイール及び被駆動ギアホイールの両方と係合するものである。
【０００９】
理解されるように、出願人は、ある技術分野からの装置で、その装置をまだ採用していない別の技術分野において置き換える、いわゆる移転発明を発展させており、前記装置は既に知られているものである。
【００１０】
さらに本発明の特徴及び利点は、図面によってより明確になるが、添付の図面で示されている折り曲げダイに対する改善された動作伝達機を有するパイプ折り曲げ装置の実施形態の記載を限定するものではない。
【図面の簡単な説明】
【００１１】
【図１】本発明によるパイプ折り曲げ装置の、一部を取り除いた不等角投影切断図である。
【図２】図１のパイプ折り曲げ装置の折り曲げダイを取り除いた部分切断平面図である
【図３】本発明による、折り曲げられるパイプを備えた、パイプ折り曲げ装置の全体不等角投影図である。
【発明を実施するための形態】
【００１２】
最初に、図１の不等角投影図を参照すると、装置本体が参照符号１で示されており、且つ装置ヘッドが参照符号２で示されている。通常、装置本体の内側に位置しているのは、モーター３であり、一般的には電気モーターである。駆動ギアホイール５は、モーター３の出力シャフト４にキー固定されている。折り曲げダイ６も装置ヘッド２上に位置しており（部分的にのみ示されている）、既知の方法でパイプを折り曲げることを可能にするものである。折り曲げダイ６はシャフト７によって回転し、シャフト７に被駆動ギアホイール８がキー固定されている。本発明によれば、図２（折り曲げダイは省略されている）のパイプ折り曲げ装置の上面図によく示されているように、中間ギアホイール９及び１０は、駆動ギアホイール５及び被駆動ギアホイール８の間に置かれている。中間ギアホイール９及び１０は、駆動ギアホイール５及び被駆動ギアホイール８の両方に同時に係合する。そのように、中間ギアホイール９及び１０の両方が、駆動ギアホイール５からの回転運動を伝達する。駆動ギアホイールはある一方向に回転し、また被駆動ギア８はそれと同じ方向に回転する。
【００１３】
本発明によれば、モーター３から折り曲げダイ６に伝達される出力を等しいままで、伝達装置のギアホイールの大きさを、従って装置ヘッド２の大きさを、そしてパイプ折り曲げ装置全体の大きさを、減少させることができる。
【００１４】
図３を参照すると、その中に示されているのは、本発明が具現化されたパイプ折り曲げ装置全体の不等角投影図である。パイプＴは折り曲げダイ６及び対向折り曲げダイ１１の間に配置されて、且つ折り曲げられる用意がなされている状態が、図３には示されている。
【００１５】
本発明によれば、それらの先行する性能の低い装置と等しい大きさの装置で、現在のものの２倍にまで、折り曲げ性能を改善して向上させることは簡単である。
【符号の説明】
【００１６】
１  装置本体
２  装置ヘッド
３  モーター
４  出力シャフト
５  駆動ギアホイール
６  折り曲げダイ
７  シャフト
８  被駆動ギアホイール
９  中間ギアホイール
１０  中間ギアホイール
１１  対向折り曲げダイ
Ｔ  パイプ
【図１】
2010105047.tif 000003
【図２】
2010105047.tif 000004
【図３】
2010105047.tif 000005
【外国語明細書】
2010105047.tif 000006
2010105047.tif 000007
2010105047.tif 000008
2010105047.tif 000009
2010105047.tif 000010
2010105047.tif 000011
2010105047.tif 000012
2010105047.tif 000013